(57)【要約】　　　（修正有）【課題】先祖を祀る墓石を、風雨や日光による劣化や、鳩、カラスなど鳥類の糞害による汚穢から防止し、かつ礼拝者を強い直射日光の日射熱、紫外線から防護する墓石用屋根を提供する。【解決手段】墓石２の周囲４箇所に配設した４個の基礎１５と、基礎１５に立設された４本の支柱３と、この４本の支柱３の上部を連結する４本の梁４及び４本の長押５と、４本の梁４の上に破風部が前後に位置する向きに載設された唐破風の主屋根７とで構成され、唐破風の主屋根７の前方部は墓所の礼拝位置上部まで延出しており、４本の支柱３の上下両端部付近には飾り金具が巻着されている。支柱３、梁４、長押５及び主屋根７は、表面を黒色焼き付け塗装したステンレス鋼で形成され、主屋根７の鳥ぶすま部７ａと支柱３に巻着されている飾り金具とは、メタリックゴールドで塗装されたステンレス鋼で形成されている。【選択図】図１
0003097547.tif 000002
【実用新案登録請求の範囲】
【請求項１】
墓所の墓石の周囲に立設した４本の支柱と、その上部に定着された４本の梁と、前記４本の梁の上に載設された屋根とからなり、かつ前記屋根の前方部が墓所の礼拝位置上部まで延出されてなることを特徴とする墓石用屋根付保護構造体。
【請求項２】
墓所の墓石の周囲に立設した４本の支柱の上部に定着された４本の梁の上に載設され、かつ前方部が墓所の礼拝位置上部まで延出された屋根が唐破風を有する屋根であることを特徴とする請求項１に記載の墓石用屋根付保護構造体。
【請求項３】
墓所の墓石の周囲に立設された４本の支柱と、その上部に定着された４本の梁と、前記４本の梁の上に載設された唐破風の主屋根とからなり、かつ前記４本の支柱の前方に位置する２本間及び後方に位置する２本間にそれぞれ１本の長押が、また左方、右方に位置する前後２本の支柱間にそれぞれ前方の支柱を貫通して前方へ突出した１本の貫が配設され、前記２本の貫の前方に突出した部分の上部に唐破風の軒屋根が墓所の礼拝位置上部まで延出して架設されてなることを特徴とする墓石用屋根付保護構造体。
【請求項４】
前記墓石用屋根付保護構造体の基本構成部材をなす支柱、梁、長押、貫、屋根のいずれもが、表面が焼き付け塗装されたステンレス鋼で構成されてなることを特徴とする請求項１〜３のいずれか１項に記載の墓石用屋根付保護構造体。
【請求項５】
前記４本の支柱を結ぶ梁と長押の間、若しくは梁と貫の間に４枚の格子を架設してなることを特徴とする請求項１〜４のいずれか１項に記載の墓石用屋根付保護構造体。
【請求項６】
前記主屋根の破風部分に欄間格子を配設してなることを特徴とする請求項１〜５のいずれか１項に記載の墓石用屋根付保護構造体。
【請求項７】
前記破風屋根の装飾品としての懸魚、装飾金具、支柱と破風屋根の接合部の装飾品としての隅飾り、また支柱中央部の装飾品としての装飾金具のいずれか１種又は２種以上を選択・取着してなることを特徴とする請求項１〜６のいずれか１項に記載の墓石用屋根付保護構造体。
【請求項８】
墓石用屋根付保護構造体が、組立・分解可能なものであることを特徴とする請求項１〜７のいずれか１項に記載の墓石用屋根付保護構造体。
【考案の詳細な説明】
【０００１】
【考案の属する技術分野】寺院・霊園に設置された墓石を、風雨や日光による劣化、鳥類の糞害による汚穢から防止し、かつ礼拝者を降雨や、強い直射日光の日射熱及び紫外線から防護する墓石用屋根付保護構造体に関する。
【０００２】
【従来の技術及び考案が解決しようとしている課題】寺院・霊園等の墓所に設置される墓石の多くは、風雨や日光に直接曝される状態にあり、長年にわたる風化は避けられず、また、近年鳩、カラスなどの増加によりその糞害を被ることも多くなってきている。墓地用地の確保が困難になってきている都市部では、先祖代々の合祀墓石が増えており、これを子孫に伝えていくためにも墓石の劣化を防ぎ、また先祖の霊を敬う見地からは墓石の汚穢を防止することが望まれている。
また、降雨時の墓参では、礼拝者は傘を差しつつ供花、供香の作業を行わねばならず、夏期炎天下の墓参では、強い直射日光の日射熱や紫外線が日射病や肌焼け等の要因となり礼拝者の健康を損ねる恐れすらあり、敬虔な祈りを妨げることにもなりかねず、雨除け、日除けの対策も必要視されていた。
【０００３】
【課題を解決するための手段】本考案者は上記従来技術に鑑み、上記課題を下記の手段により解決した。
（１）墓所の墓石の周囲に立設した４本の支柱と、その上部に定着された４本の梁と、前記４本の梁の上に載設された屋根とからなり、かつ前記屋根の前方部が墓所の礼拝位置上部まで延出されてなることを特徴とする墓石用屋根付保護構造体。
（２）墓所の墓石の周囲に立設した４本の支柱の上部に定着された４本の梁の上に載設され、かつ前方部が墓所の礼拝位置上部まで延出された屋根が唐破風を有する屋根であることを特徴とする前記（１）に記載の墓石用屋根付保護構造体。
【０００４】
（３）墓所の墓石の周囲に立設された４本の支柱と、その上部に定着された４本の梁と、前記４本の梁の上に載設された唐破風の主屋根とからなり、かつ前記４本の支柱の前方に位置する２本間及び後方に位置する２本間にそれぞれ１本の長押が、また左方、右方に位置する前後２本の支柱間にそれぞれ前方の支柱を貫通して前方へ突出した１本の貫が配設され、前記２本の貫の前方に突出した部分の上部に唐破風の軒屋根が墓所の礼拝位置上部まで延出して架設されてなることを特徴とする墓石用屋根付保護構造体。
【０００５】
（４）前記墓石用屋根付保護構造体の基本構成部材をなす支柱、梁、長押、貫、屋根のいずれもが、表面が焼き付け塗装されたステンレス鋼で構成されてなることを特徴とする前記（１）〜（３）のいずれか１項に記載の墓石用屋根付保護構造体。
【０００６】
（５）前記４本の支柱を結ぶ梁と長押の間、若しくは梁と貫の間にに４枚の格子を架設してなることを特徴とする前記（１）〜（４）のいずれか１項に記載の墓石用屋根付保護構造体。
（６）前記主屋根の破風部分に欄間格子を配設してなることを特徴とする前記（１）〜（５）のいずれか１項に記載の墓石用屋根付保護構造体。
（７）前記破風屋根の装飾品としての懸魚、装飾金具、支柱と破風屋根の接合部の装飾品としての隅飾り、また支柱中央部の装飾品としての装飾金具のいずれか１種又は２種以上を選択・取着してなることを特徴とする前記（１）〜（６）のいずれか１項に記載の墓石用屋根付保護構造体。
【０００７】
（８）墓石用屋根付保護構造体が、組立・分解可能なものであることを特徴とする前記（１）〜（７）のいずれか１項に記載の墓石用屋根付保護構造体。
【０００８】
【考案の実施の形態】本考案の実施の形態を、実施例の図面に基づいて説明する。
図１は本考案実施例の墓石用屋根付保護構造体の正面図、図２は本考案の他の実施例の墓石用屋根付保護構造体の側面図、図３は本考案実施例墓石用屋根付保護構造体の支柱立設位置を示す断面図、図４は本考案第３の実施例の正面図、図５は本考案第３の実施例の側面図である。
図において１は墓石用屋根付保護構造体、２は墓石、３は支柱、４は梁、５は長押、６は貫、７は主屋根、８は軒屋根、９は格子、１０は欄間格子、１１は懸魚、１２は軒先金具、１３は隅飾り、１４は柱金具、１５は基礎、７ａ、８ａは鳥ぶすま部である。
【０００９】
（実施例１）
図１に示す実施例は、本考案の墓石用屋根付保護構造体１の最も基本的な形体のもので、墓石２の周囲４箇所（図３参照）に配設した４個の基礎１５と、前記基礎１５に立設された４本の支柱３と、この４本の支柱３の上部を連結する４本の梁４及び４本の長押５と、前記４本の梁４の上に破風部が前後に位置する向きに載設された唐破風の主屋根７とで構成され、かつ前記唐破風の主屋根７の前方部は墓所の礼拝位置上部まで延出しており、また前記４本の支柱３の上下両端部付近には飾り金具が巻着されている。
また、前記支柱３、梁４，長押５及び主屋根７は、表面を黒色焼き付け塗装したステンレス鋼で形成され、前記主屋根７の鳥ぶすま部７ａと支柱３に巻着されている飾り金具とは、メタリックゴールドで塗装されたステンレス鋼で形成されている。
【００１０】
（実施例２）
図２に示す実施例は、墓石２の周囲４箇所（図３参照）に配設した４個の基礎１５と、前記基礎１５に立設された４本の支柱３と、この４本の支柱３の上部を連結する４本の梁４と、前記４本の梁の上に破風部が左右に位置するように載設された唐破風の主屋根７と、前記４本の支柱３の前方に位置する２本間及び後方に位置する２本間にそれぞれ１本ずつ配設された長押５と、前記４本の支柱３の左方、右方に位置する前後２本の支柱間にそれぞれ前方に位置する支柱３を貫通して前方へ突出して配設された貫６と、前記前方に突出した２本の貫６の突出部の上部に架設された唐破風の軒屋根８とで構成され、かつ前記唐破風の軒屋根の前方部は墓所の礼拝位置上部まで延出しており、また前記４本の支柱３の上下両端部付近には飾り金具が巻着されている。
また、前記支柱３、梁４，長押５、貫６、主屋根７、及び軒屋根８は、表面を黒色焼き付け塗装したステンレス鋼で形成され、主屋根７及び軒屋根８の鳥ぶすま部７ａ、８ａと、支柱３に巻着されている飾り金具はメタリックゴールドで塗装されたステンレス鋼で形成されている。
【００１１】
（実施例３）
図４、図５に示す実施例は、上記実施例２の墓石用屋根付保護構造体１の梁４と長押５間、又は梁４と貫６との間に墓石２の上部を囲うように４枚の格子９が配設され、また主屋根７の左右の破風部にはそれぞれ欄間格子１０が配設されるとともに、墓石用屋根付保護構造体１の装飾品としての懸魚１１、軒先金具１２、隅飾り１３、柱金具１４を配設している。
本実施例は本考案になる部材をすべて配設した最も豪華な造りの墓石用屋根付保護構造体であり、前記の格子９、欄間格子１０、懸魚１１、軒先金具１２，隅飾り１３、柱金具１４はいずれもオプション部材とし扱い、任意に選択付加できるようにしてある。したがって、これら部材は実施例１に示した墓石用屋根付保護構造体１にも取り付け可能である。
なお、格子９、欄間格子１０は、表面を黒色に焼き付け塗装されたステンレス鋼で形成され、軒先金具１２、柱金具１４は、メタリックゴールドで塗装されたステンレス板で、また、懸魚１１、隅飾り１３は、メタリックゴールド塗装された発泡ポリスチレンで形成されている。
【００１２】
【考案の効果】本考案によれば下記のような効果が発揮できる。
▲１▼　請求項１〜３のいずれか１項に記載の墓石用屋根付保護構造体によれば、墓石を風雨や直射日光、あるいは鳥類の糞害の被害等から防止でき、かつ礼拝者が降雨や、強い日光の日射熱及び紫外線等に曝されるのを防ぐことができる。
▲２▼　請求項４によれば、墓石用屋根付保護構造体の基本構成部材をなす支柱、梁、長押、貫、屋根のいずれもが、表面を焼き付け塗装されたステンレス鋼で構成されているので、防錆効果を持ち耐久性に富む。
▲３▼　請求項５〜６によれば、４本の支柱を結ぶ梁と長押の間、若しくは梁と貫の間に、墓石の上部を囲むように架設される４枚の格子や前記破風屋根の破風部に配設される欄間格子、さらには懸魚、隅飾り等の各種装飾具を付加することができるので、唐破風の主屋根及び唐破風の軒屋根と相まって、墓石を含む墓所全体を優れた荘厳感を備えたものとなすことができる。
▲４▼　請求項７によれば、墓石用屋根付保護構造体の組立・解体が簡便に行えるので、既存墓所にも容易に設置できる。
【図面の簡単な説明】
【図１】本考案実施例の墓石用屋根付保護構造体の正面図。
【図２】本考案の他の実施例の墓石用屋根付保護構造体の側面図。
【図３】本考案実施例墓石用屋根の支柱立設位置を示す断面図。
【図４】本考案第３の実施例の正面図。
【図５】本考案第３の実施例の側面図。
【符号の説明】
１：墓石用屋根付保護構造体　　　　　　　　　　２：墓石
３：支柱　　　　　　　　　　　　　　　　　　　　　　　　　　　　４：梁
５：長押　　　　　　　　　　　　　　　　　　　　　　　　　　　　６：貫
７：主屋根　　　　　　　　　　　　　　　　　　　　　　　　　　８：軒屋根
９：格子　　　　　　　　　　　　　　　　　　　　　　　　　　　　１０：欄間格子
１１：懸魚　　　　　　　　　　　　　　　　　　　　　　　　　　１２：軒先金具
１３：隅飾り　　　　　　　　　　　　　　　　　　　　　　　　１４：柱金具
１５：基礎　　　　　　　　　　　　　　　　　　　　　　　　　　７ａ、８ａ：鳥ぶすま部
【図１】
0003097547.tif 000003
【図２】
0003097547.tif 000004
【図３】
0003097547.tif 000005
【図４】
0003097547.tif 000006
【図５】
0003097547.tif 000007